(57)【要約】【課題】既存のアイロン台に容易に着脱可能であって、そのアイロン台において洗濯物の一部を固定することのできるアイロン台用の洗濯物固定金具を提供すること。【解決手段】アイロン台の端部に着脱可能なアイロン台用の洗濯物固定金具Ｘは、アイロン台の端部上面に載置される第１の面２１及びアイロン台の端面に接触する第２の面２２を有するＬ字部材２と、前記Ｌ字部材２の前記第１の面２１の外面２１ａに固定され、挟持板１１を移動させることにより前記挟持板１１及び前記第１の面２１が離間する解放状態と前記挟持板１１及び前記第１の面２１で洗濯物の一部を挟持する固定状態とを切り替える挟持部１とを備えている。【選択図】図１
2013031487.tif 000002
【特許請求の範囲】
【請求項１】
アイロン台の端部に着脱可能なアイロン台用の洗濯物固定金具であって、
前記アイロン台の端部上面に載置される第１の面及び前記アイロン台の端面に接触する第２の面を有するＬ字部材と、
前記Ｌ字部材の前記第１の面の外面に固定され、対向する二つの挟持板を相対的に移動させることにより、前記二つの挟持板が離間する解放状態と前記二つの挟持板で洗濯物の一部を挟持する固定状態とを切り替える挟持部と、
を備えてなることを特徴とするアイロン台用の洗濯物固定金具。
【請求項２】
前記二つの挟持板のうち、一方の挟持板が前記第１の面であり、他方の挟持板が前記第１の面に対して開閉する可動面である請求項１に記載のアイロン台用の洗濯物固定金具。
【請求項３】
前記二つの挟持板各々の相対する面にゴム部材が設けられてなる請求項１又は２のいずれかに記載のアイロン台用の洗濯物固定金具。
【発明の詳細な説明】
【技術分野】
【０００１】
本発明は、既存のアイロン台に着脱可能であって、そのアイロン台の上で洗濯物の一部を固定するために用いるアイロン台用の洗濯物固定金具に関するものである。
【背景技術】
【０００２】
例えば特許文献１には、洗濯物にアイロンをかける際に用いるアイロン台付設プレス装置が開示されている。このアイロン台付設プレス装置は、多孔性を有するアイロン台の上に載置された洗濯物をそのアイロン台の下側から吸引する機能を有している。これにより、洗濯物がアイロン台に吸着されるため、アイロンがけの作業を行いやすくなる。
ところで、例えばシャツの前立は洗濯によって縮むため、アイロンがけの際には、そのシャツの前立を引っ張って元の寸法まで復元した状態でアイロンがけを行うことが望ましい。
【先行技術文献】
【特許文献】
【０００３】
【特許文献１】特開２００２−１１３２９７号公報
【発明の概要】
【発明が解決しようとする課題】
【０００４】
しかしながら、従来のアイロン台で洗濯物のアイロンがけを行う場合、作業者は片手でアイロンを持つため、洗濯物はもう一方の手だけで押さえる必要がある。そのため、作業者が一人で洗濯物にアイロンをかける場合は、その洗濯物を十分に引っ張った状態でアイロンをあてることができないという問題があった。なお、前記アイロン台付設プレス装置のように洗濯物をアイロン台に吸着させるものも存在するが、洗濯物を十分に引っ張ることができる程に強い力で吸着させることはできない。
従って、本発明は上記事情に鑑みてなされたものであり、その目的とするところは、既存のアイロン台に容易に着脱可能であって、そのアイロン台において洗濯物の一部を固定することのできるアイロン台用の洗濯物固定金具を提供することにある。
【課題を解決するための手段】
【０００５】
上記目的を達成するために本発明は、アイロン台の端部に着脱可能なアイロン台用の洗濯物固定金具であって、下記（１）及び（２）を備えてなることを特徴とするアイロン台用の洗濯物固定金具として構成される。
（１）前記アイロン台の端部上面に載置される第１の面及び前記アイロン台の端面に接触する第２の面を有するＬ字部材。
（２）前記Ｌ字部材の前記第１の面の外面に固定され、対向する二つの挟持板を相対的に移動させることにより、前記二つの挟持板が離間する解放状態と前記二つの挟持板で洗濯物の一部を挟持する固定状態とを切り替える挟持部。
本発明に係るアイロン台用の洗濯物固定金具は、前記Ｌ字部材の前記第１の面及び前記第２の面を、既存のアイロン台の端部上面及び端面に接触させて載置することにより、容易にそのアイロン台に装着することができる。そして、そのアイロン台では、前記アイロン台用の洗濯物固定金具により洗濯物の一部を固定することができるため、作業者は一人でも洗濯物を十分に引っ張った状態でアイロンをかけることができる。例えば、シャツの前立を引っ張って元の寸法まで復元した状態でアイロンをかけることができる。また、前記アイロン台用の洗濯物固定金具は、前記Ｌ字部材を前記アイロン台の段部に載置しているだけであるため、簡単に前記アイロン台から取り外すことができる。
ここで、前記二つの挟持板のうち、一方の挟持板が前記第１の面であり、他方の挟持板が前記第１の面に対して開閉する可動面であることが考えられる。また、滑り止めの目的で、前記二つの挟持板各々の相対する面にゴム部材が設けられる構成も考えられる。
【発明の効果】
【０００６】
本発明によれば、既存のアイロン台に容易に着脱可能であって、そのアイロン台において洗濯物の一部を固定することができるアイロン台用の洗濯物固定金具を提供することができる。
【図面の簡単な説明】
【０００７】
【図１】本発明の実施の形態に係るアイロン台用の洗濯物固定金具Ｘの概略構成を示す正面図。
【図２】本発明の実施の形態に係るアイロン台用の洗濯物固定金具Ｘの概略構成を示す背面図。
【図３】本発明の実施の形態に係るアイロン台用の洗濯物固定金具Ｘの概略構成を示す左側面図。
【図４】本発明の実施の形態に係るアイロン台用の洗濯物固定金具Ｘの概略構成を示す右側面図。
【図５】本発明の実施の形態に係るアイロン台用の洗濯物固定金具Ｘの概略構成を示す平面図。
【図６】本発明の実施の形態に係るアイロン台用の洗濯物固定金具Ｘの概略構成を示す裏面図。
【図７】本発明の実施の形態に係るアイロン台用の洗濯物固定金具Ｘの動作状態を説明するための正面図。
【図８】本発明の実施の形態に係るアイロン台用の洗濯物固定金具Ｘの動作状態を説明するための正面図。
【図９】本発明の実施の形態に係るアイロン台用の洗濯物固定金具Ｘの使用状態を示す図。
【発明を実施するための形態】
【０００８】
以下添付図面を参照しながら、本発明の実施の形態について説明し、本発明の理解に供する。なお、以下の実施の形態は、本発明を具体化した一例であって、本発明の技術的範囲を限定する性格のものではない。
ここに、図１〜図６は、本発明の実施の形態に係るアイロン台用の洗濯物固定金具Ｘ（以下、固定金具Ｘと略称する）の概略構成を示すものであって、図１は正面図、図２は背面図、図３は左側面図、図４は右側面図、図５は平面図、図６は裏面図である。
図１〜図６に示すように、前記固定金具Ｘは、シャツなどの洗濯物の一部を挟持して固定する挟持部１と前記挟持部１が固定されたステンレス製のＬ字部材２とを有している。例えば前記固定金具Ｘのサイズは、図１における縦、横、奥行きが１４０（ｍｍ）、１２０（ｍｍ）、１１０（ｍｍ）である。
【０００９】
図１に示すように、前記Ｌ字部材２は、既存のアイロン台に装着されるときにそのアイロン台の端部上面に載置される第１の面２１及びアイロン台の端面に接触する第２の面２２を有している。また、前記Ｌ字部材２は概ねＬ字であればよく、例えば前記固定金具Ｘを用いるアイロン台の形状に応じて多少の傾斜やカーブを有するものあってもよい。
前記第１の面２１には、前記挟持部１を固定するために用いられるすり鉢状の四つの孔２４（図６参照）が形成されている。そして、前記孔２４各々には、皿ビス２５が埋め込まれるように挿入される。前記皿ビス２５各々の先端には後述の六角袋ナット４６が螺合される。
また、前記Ｌ字部材２の第１の面２１における後述の挟持板１１に相対する外面２１ａには、その第１の面２１でシャツなどの洗濯物の一部を挟持する際に滑り止めとして機能するゴムシート２３（ゴム部材の一例）が貼付されている（図５参照）。なお、前記ゴムシート２３は、例えば両面テープ又は接着剤などにより前記外面２１ａに貼付されている。
【００１０】
一方、図１に示すように、前記挟持部１は、挟持板１１、ゴムシート１２（ゴム部材の一例）、開閉機構３０、操作レバー５１、及び挟持板固定部６０などを有している。前記挟持部１は、以下に説明するように、前記Ｌ字部材２の前記第１の面２１の外面２１ａに固定され、対向して配置された前記第１の面２１及び前記挟持板１１（二つの挟持板の一例）を相対的に移動させることにより、前記第１の面２１及び前記挟持板１１が離間する解放状態と前記第１の面２１及び前記挟持板１１で洗濯物の一部を挟持する固定状態とを切り替える。
なお、前記挟持部１の構造はここで説明するものに限らず洗濯物の一部を離脱しないように固定する構造を有するものであればよい。例えば、前記挟持部１は、対向する二枚の挟持板を有しており、その挟持板を両方移動させて開閉する構成や、対向する二枚の挟持板をバネ等の弾性部材の力により相対的に開閉させる構成が他の実施例として考えられる。
【００１１】
前記挟持板１１は、ステンレス製の矩形板であり、二つの前記挟持板固定部６０により前記開閉機構３０に固定されている。前記ゴムシート１２は、前記挟持板１１における前記Ｌ字部材２の第１の面２１に相対する面に設けられ、前記挟持板１１でシャツなどの洗濯物の一部を挟持する際に滑り止めとして機能するものである。なお、前記ゴムシート１２は、例えば両面テープ又は接着剤などにより前記挟持板１１に貼付されている。
【００１２】
前記挟持板固定部６０各々は、皿ビス６１、ワッシャー６２、ナット６２〜６４、ワッシャー６５、及び六角袋ナット６６などを有している。
前記皿ビス６１は、前記挟持板１１の底面に形成されたすり鉢状の孔１１ａにその頭部が埋め込まれるように該挟持板１１の底面側から挿入され、平面視でＵ字状を成す連動板４１の中空部に貫挿されている。これにより、前記挟持板１１の底面を面一にすることができ、該挟持板１１の底面に前記ゴムシート１２を密着させて貼付することができる。
そして、前記皿ビス６１には、その頭部との間で前記挟持板１１を挟むように配置された前記ワッシャー６５を介して前記ナット６４が螺合されている。さらに、前記皿ビス６１は、前記連動板４１の上下を前記ワッシャー６２で挟んだ状態で前記ナット６３が螺合されることにより、該連動板４１に固定されている。従って、前記挟持板１１は、前記連動板４１の動作に連動することとなる。なお、前記皿ビス６１の上端部には、前記六角袋ナット６６が螺合されている。
【００１３】
一方、前記開閉機構３０は、連動板４１〜４３、支持板４４、４５、六角袋ナット４６、及び連結軸３１〜３４などを有している。
前記連動板４１〜４３及び前記支持板４４、４５はステンレス製の板部材である。前記連動板４１及び前記支持板４４は、前記連結軸３１を介して回動自在に連結されている。前記連動板４１及び前記連動板４２は、前記連結軸３２を介して回動自在に連結されている。前記連動板４２及び前記連動板４３は、前記連結軸３３を介して回動自在に連結されている。前記連動板４３及び前記支持板４４は、前記連結軸３４を介して回動自在に連結されている。また、前記連動板４２の端部には前記操作レバー５１が取り付けられている。
そして、前記Ｌ字部材２の第１の面２１の内側から前記孔２４各々に前記皿ビス２５が挿入され、前記支持板４４、４５各々に形成された孔４４ａ、４５ａに挿通される。この皿ビス２５に、前記六角袋ナット４６が螺合されることにより、前記挟持部１が前記Ｌ字部材２の第１の面２１に固定される。このとき、前記皿ビス２５は，すり鉢状の前記孔２４に埋め込まれるため、前記Ｌ字部材２の第１の面２１の内側面は面一であり、前記固定金具Ｘをアイロン台に載置したときに安定する構造が実現される。
【００１４】
このように構成された前記開閉機構３０は、図１における上下方向に前記操作レバー５１が操作されると、その操作に応じて前記挟持板１１を移動させて前記第１の面２１に対して離間又は圧接させる。具体的に、前記開閉機構３０は、前記操作レバー５１の操作に応じて前記連結軸３１を中心に前記連動板４１を回転させることにより前記挟持板１１を回転移動させる。
ここに、図１は、前記操作レバー５１が最下部に位置する状態、即ち前記挟持板１１が前記第１の面２１に対して閉じられ、洗濯物の一部を前記挟持板１１及び前記第１の面２１で挟持して固定する固定状態を示している。これに対し、図７は、前記操作レバー５１が上方に少し持ち上げられることにより、前記挟持板１１が前記開閉機構３０によって前記連結軸３１を中心に回転されて前記第１の面２１から少し離間した解放状態を示している。さらに、図８は、前記操作レバー５１が図１において最上部まで持ち上げられ、前記挟持板１１が前記開閉機構３０によって前記連結軸３１を中心に回転されて前記第１の面２１から最も離間した解放状態を示している。
【００１５】
次に、図９を参照しつつ、前記固定金具Ｘの使用例について説明する。なお、図９は、前記固定金具Ｘを既存のサクションボードＹに装着した状態を示す正面模式図である。
図９に示すように、前記サクションボードＹは、アイロン台１０１、バキューム装置１０２、フットペダル１０３、アイロン置き台１０４などを有している。前記アイロン台１０１は、多孔性を有する平板と、その平板を覆うスポンジと、その平板及びスポンジを更に覆う布とにより構成されている。そして、前記バキューム装置１０２は、前記平板１０１から下方に吸気することにより該平板１０１上の洗濯物を吸着し、或いは前記平板１０１から上方に風を吹き出す。前記バキューム１０２装置による前記吸着及び吹き出しの動作は前記フットペダル１０３の操作によって切り替えられる。
また、前記アイロン置き台１０４は、不使用時にアイロンを載置するための載置台である。前記アイロン置き台１０４は、図９における奥行き方向の両端部に設けられた二本の連結板１０４ａが前記サクションボードＹに設けられたレール部１０１ａに挿入され、固定レバー１０４ｂの回転操作で該固定レバー１０４ｂの先端のボルトが前記連動板１０４ａに圧接されることにより固定される。なお、前記アイロン台１０１及び前記アイロン置き台１０４の間の間隙において二本の前記連結板１０４ａの間は空洞である。ここで、前記アイロン台１０１と前記アイロン置き台１０４との間には少なくとも間隙１０５が形成されるが、前記アイロン台１０１に対する前記アイロン置き台１０４の矢印Ｒ１方向の位置は任意に調節可能である。
【００１６】
そして、前記固定金具Ｘは、前記アイロン台１０１の端部に容易に着脱することが可能である。具体的に、前記固定金具Ｘの第２の面２２が前記アイロン台１０１及び前記アイロン置き台１０４の間に形成された前記間隙１０５に上方から挿入されることにより前記固定金具Ｘが前記アイロン台１０１に装着され、前記固定金具Ｘの第２の面２２が前記間隙１０５から引き抜かれることによって前記固定金具Ｘが前記アイロン台１０１から取り外される。
ここで、前記固定金具Ｘが前記アイロン台１０１に装着されたとき、前記固定金具Ｘの第１の面２１は前記アイロン台１０１の端部正面１０１ｂに載置され、前記固定金具Ｘの第２の面２２は前記アイロン台１０１の端面１０１ｃに接触する。従って、前記アイロン台１０１における前記端面１０１ｃから内側に向けた前記固定金具Ｘの移動は、前記第２の面２２が前記アイロン台１０１の端面１０１ｃに接触することにより係止される。なお、前記サクションボードＹでは、前記固定金具Ｘの第２の面２２が、前記アイロン台１０１及び前記アイロン置き台１０４で挟まれるため、前記固定金具Ｘの落下が防止される。
【００１７】
前記固定金具Ｘが前記アイロン台１０１に取り付けられると、作業者は、前記操作レバー５１を操作して前記挟持部１の前記挟持板１１を開き、前記Ｌ字部材２の第１の面２１の外面２１ａ上に洗濯物の一部を載置し、前記操作レバー５１を操作して前記挟持部１の前記挟持板１１を閉じる。これにより、前記挟持板１１及び前記第１の面２１で洗濯物の一部が挟持され、その洗濯物は前記挟持部１で固定されて離脱が防止された状態となる。特に、前記挟持板１１及び前記第１の面２１にはゴムシート１２、２３が設けられており、洗濯物の滑り止めとして機能するため、洗濯物が離脱しにくい。
このように、洗濯物の一部が前記挟持部１で挟持されて固定されると、作業者は、片手で洗濯物を引っ張って十分に伸ばした状態で、もう一方の手でアイロンがけの作業を行うことができる。例えば、洗濯後に縮んだシャツの前立を引っ張って元の寸法に復元した状態でアイロンがけを行うことでシャツの前立の縮みを防止した仕上げを実現することができる。
【００１８】
なお、本実施形態では、前記サクションボードＹにおける前記アイロン台１０１と前記アイロン置き台１０４との間の間隙１０５に前記Ｌ字部材２の第２の面２２を挿入することにより、前記固定金具Ｘを前記アイロン台１０１に装着する場合について説明した。
一方、前記アイロン置き台１０４が隣接して存在しないアイロン台であっても、そのアイロン台の端面に前記Ｌ字部材２の第２の面２２を接触させ、前記Ｌ字部材２の第１の面２１をそのアイロン台の端部上面に載置することで、前記固定金具Ｘをアイロン台に簡単に装着することが可能である。この場合でも、前記固定金具Ｘの前記アイロン台１０１の内側への移動は、前記第２の面２２が前記サクションボードＹの端面１０１ｃに接触することにより係止される。
【符号の説明】
【００１９】
１  ：挟持部
１１：挟持板
１２：ゴムシート（ゴム部材）
２  ：Ｌ字部材
２１：第１の面
２２：第２の面
２３：ゴムシート（ゴム部材）
２４：ネジ穴
３０：開閉機構
３１〜３４：連結軸
４１〜４３：連動板
４４、４５：支持板
４６：ボルト
５１：操作レバー
６０：挟持板固定部
１０１：アイロン台
１０２：バキューム装置
１０３：フットペダル
１０４：アイロン置き台
Ｘ  ：アイロン台用の洗濯物固定金具
Ｙ  ：サクションボード
【図１】
2013031487.tif 000003
【図２】
2013031487.tif 000004
【図３】
2013031487.tif 000005
【図４】
2013031487.tif 000006
【図５】
2013031487.tif 000007
【図６】
2013031487.tif 000008
【図７】
2013031487.tif 000009
【図８】
2013031487.tif 000010
【図９】
2013031487.tif 000011